(57)【特許請求の範囲】
【請求項１】
回転ヘッドにより磁気テープのトラックに圧縮されたディジタル画像データを標準モードまたは長時間モードで記録する磁気テープ記録装置において、
前記ディジタル画像データを入力する入力手段と、
前記入力手段により入力された前記ディジタル画像データから、変速再生用のディジタル画像データを抽出する抽出手段と、
前記抽出手段により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成手段と、
前記生成手段により生成された前記変速再生用のディジタル画像記録用データを、前記第１の領域および前記第２の領域に、１エリア内の単位ブロックの数が、前記長時間モードで記録する場合、前記標準モードで記録する場合より少なくなるように記録する記録手段と
を含むことを特徴とする磁気テープ記録装置。
【請求項２】
回転ヘッドにより磁気テープのトラックに圧縮されたディジタル画像データを標準モードまたは長時間モードで記録する磁気テープ記録方法において、
前記ディジタル画像データを入力する入力ステップと、
前記入力ステップの処理により入力された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域に、１エリア内の単位ブロックの数が、前記長時間モードで記録する場合、前記標準モードで記録する場合より少なくなるように記録する記録ステップと
を含むことを特徴とする磁気テープ記録方法。
【請求項３】
回転ヘッドにより磁気テープのトラックに圧縮されたディジタル画像データを標準モードまたは長時間モードで記録する磁気テープ記録装置のプログラムにおいて、
前記ディジタル画像データの入力を制御する入力制御ステップと、
前記入力制御ステップの処理により入力が制御された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域に、１エリア内の単位ブロックの数が、前記長時間モードで記録する場合、前記標準モードで記録する場合より少なくなるように記録する記録ステップと
を含むことを特徴とするコンピュータが読み取り可能なプログラムが記録されている記録媒体。
【請求項４】
回転ヘッドにより磁気テープのトラックに圧縮されたディジタル画像データを標準モードまたは長時間モードで記録する磁気テープ記録装置を制御するコンピュータに、
前記ディジタル画像データの入力を制御する入力制御ステップと、
前記入力制御ステップの処理により入力が制御された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域に、１エリア内の単位ブロックの数が、前記長時間モードで記録する場合、前記標準モードで記録する場合より少なくなるように記録する記録ステップと
を実行させるプログラム。
【請求項５】
変速再生用のディジタル画像記録用データが、トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに、１エリア内の単位ブロックの数が、前記長時間モードで記録する場合、前記標準モードで記録する場合より少なくなるように記録されていることを特徴とする磁気テープ。
【請求項６】
回転ヘッドにより磁気テープのトラックに圧縮されたディジタル画像データを標準モードまたは長時間モードで記録する磁気テープ記録装置において、
前記ディジタル画像データを入力する入力手段と、
前記入力手段により入力された前記ディジタル画像データから、変速再生用のディジタル画像データを抽出する抽出手段と、
前記抽出手段により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成手段と、
前記生成手段により生成された前記変速再生用のディジタル画像記録用データを、前記第１の領域および前記第２の領域の前記エリアに、それぞれのトラック内における前記エリアの数が、前記長時間モードで記録する場合、前記標準モードで記録する場合より多くなるように記録する記録手段と
を含むことを特徴とする磁気テープ記録装置。
【請求項７】
回転ヘッドにより磁気テープのトラックに圧縮されたディジタル画像データを標準モードまたは長時間モードで記録する磁気テープ記録方法において、
前記ディジタル画像データを入力する入力ステップと、
前記入力ステップの処理により入力された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域の前記エリアに、それぞれのトラック内における前記エリアの数が、前記長時間モードで記録する場合、前記標準モードで記録する場合より多くなるように記録する記録ステップと
を含むことを特徴とする磁気テープ記録方法。
【請求項８】
回転ヘッドにより磁気テープのトラックに圧縮されたディジタル画像データを標準モードまたは長時間モードで記録する磁気テープ記録装置のプログラムにおいて、
前記ディジタル画像データの入力を制御する入力制御ステップと、
前記入力制御ステップの処理により入力が制御された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域の前記エリアに、それぞれのトラック内における前記エリアの数が、前記長時間モードで記録する場合、前記標準モードで記録する場合より多くなるように記録する記録ステップと
を含むことを特徴とするコンピュータが読み取り可能なプログラムが記録されている記録媒体。
【請求項９】
回転ヘッドにより磁気テープのトラックに圧縮されたディジタル画像データを標準モードまたは長時間モードで記録する磁気テープ記録装置を制御するコンピュータに、
前記ディジタル画像データの入力を制御する入力制御ステップと、
前記入力制御ステップの処理により入力が制御された前記ディジタル画像データから、変速再生用のディジタル画像データを抽出する抽出ステップと、
前記抽出ステップの処理により抽出された前記変速再生用のディジタル画像データから、前記トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、前記生成ステップの処理により生成された前記変速再生用のディジタル画像記録用データを、前記第１の領域および前記第２の領域の前記エリアに、それぞれのトラック内における前記エリアの数が、前記長時間モードで記録する場合、前記標準モードで記録する場合より多くなるように記録する記録ステップと
を実行させるプログラム。
【請求項１０】
変速再生用のディジタル画像記録用データが、トラックの略中央に位置する第１の領域、または前記第１の領域と、前記トラックの近傍に位置するトラックであって、かつ、そのトラック内で変速再生時にトレースされる位置に位置する第２の領域の両方の所定のエリアに、それぞれのトラック内における前記エリアの数が、前記長時間モードで記録する場合、前記標準モードで記録する場合より多くなるように記録されている
ことを特徴とする磁気テープ。
【発明の詳細な説明】
【０００１】
【発明の属する技術分野】
本発明は磁気テープ記録装置および方法、磁気テープ、記録媒体並びにプログラムに関し、特に、標準モードより低速度でテープ走行させる長時間モードで変速再生する場合において、データを確実に捕捉し、良好な画像を表示させることができるようにした磁気テープ記録装置および方法、磁気テープ、記録媒体、並びにプログラムに関する。
【０００２】
【従来の技術】
近年、画像データや音声データを圧縮して記録する技術が進歩し、応用されるようになってきた。高能率の圧縮方式として、例えば、ＭＰＥＧ（Ｍｏｖｉｎｇ  Ｐｉｃｔｕｒｅ  Ｅｘｐｅｒｔ  Ｇｒｏｕｐ）方式がある。
【０００３】
本出願人は、特願２００１−３６４１２として、例えば、記録用磁気ヘッドのトラック幅と記録されるトラックの幅とが同じ場合、ＭＰＥＧ２のような高能率符号化によりフレーム間圧縮された画像データが、ヘリカルスキャン方式により記録された記録媒体から、その記録された画像データを、正方向で２倍速以上、逆方向で１倍速以上で、変速再生する１つの方法を先に提案した。
【０００４】
この提案においては、変速再生用のデータが変速再生時にトレースするであろう位置に分散して記録され、その記録される配置パターンがインターリーブとの整合もとれたものとされる。これにより、変速再生時に確実にデータを捕捉し、つなぎ録りなどの編集時に変速再生用の画像データとインターリーブの２種類の規則性間の整合を取ることが可能となる。
【０００５】
【発明が解決しようとする課題】
しかしながら、先の提案は、以下にあげるような課題を有する。すなわち、例えば長時間モードのように、標準モードに比べ低速度で磁気テープを走行させてデータを記録すると、標準モードでデータが記録された磁気テープを高速で変速再生する場合に比べて、１トラック挟んで隣接する同一アジマストラックからのクロストーク量が増加し、また、１トレースで捕捉可能なシンクブロック数が減少するため、データの取り損ないが生じるおそれがあった。
【０００６】
また、記録装置、または再生装置に起因する記録トラックの曲がり、再生時のトレースの歪み、記録時の速度サーボのジッタによる記録トラックの位置ずれ、再生時の位置ロックサーボのジッタによる走行速度偏差などによる影響は、記録用磁気ヘッドのトラック幅に対する記録トラック幅が狭くなる程大きくなる。その結果、長時間モードの磁気テープは、標準モードの磁気テープに比べて、高速再生時における目標位置に対するトレースの誤差がより大きく発生し、やはり、データの取り損ないが生じるといった課題があった。
【０００７】
本発明はこのような状況に鑑みてなされたものであり、変速再生用のデータを変速再生時にトレースするであろう位置に分散して記録する際、記録用磁気ヘッドのトラック幅に対して記録トラック幅が狭くなる程、１トラック当たり１トレースで捕捉可能なシンクブロック数に対する１トラック中の１エリア内に記録するシンクブロック数を減らし、また、それぞれのトラック内のエリアの数を増やすことにより、長時間モードにおける変速再生時に確実にデータを捕捉し、良好な画像が表示されるようにすることを目的とする。
【０００８】
【課題を解決するための手段】
本発明の第１の磁気テープ記録装置は、ディジタル画像データを入力する入力手段と、入力手段により入力されたディジタル画像データから、変速再生用のディジタル画像データを抽出する抽出手段と、抽出手段により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成手段と、生成手段により生成された変速再生用のディジタル画像記録用データを、第１の領域および第２の領域に、１エリア内の単位ブロックの数が、長時間モードで記録する場合、標準モードで記録する場合より少なくなるように記録する記録手段とを含むことを特徴とする。
【０００９】
本発明の第１の磁気テープ記録方法は、ディジタル画像データを入力する入力ステップと、入力ステップの処理により入力されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域に、１エリア内の単位ブロックの数が、長時間モードで記録する場合、標準モードで記録する場合より少なくなるように記録する記録ステップとを含むことを特徴とする。
【００１０】
本発明の第１の記録媒体は、ディジタル画像データの入力を制御する入力制御ステップと、入力制御ステップの処理により入力が制御されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域に、１エリア内の単位ブロックの数が、長時間モードで記録する場合、標準モードで記録する場合より少なくなるように記録する記録ステップとを含むことを特徴とする。
【００１１】
本発明の第１のプログラムは、ディジタル画像データの入力を制御する入力制御ステップと、入力制御ステップの処理により入力が制御されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域に、１エリア内の単位ブロックの数が、長時間モードで記録する場合、標準モードで記録する場合より少なくなるように記録する記録ステップとを含むことを特徴とする。
【００１２】
本発明の第１の磁気テープは、変速再生用のディジタル画像記録用データが、トラックの略中央に位置する第１の領域、または第１の領域と、トラックの近傍に位置するトラックであって、かつ、そのトラック内で変速再生時にトレースされる位置に位置する第２の領域の両方の所定のエリアに、１エリア内の単位ブロックの数が、長時間モードで記録する場合、標準モードで記録する場合より少なくなるように記録されていることを特徴とする。
【００１３】
本発明の第２の磁気テープ記録装置は、ディジタル画像データを入力する入力手段と、入力手段により入力されたディジタル画像データから、変速再生用のディジタル画像データを抽出する抽出手段と、抽出手段により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成手段と、生成手段により生成された変速再生用のディジタル画像記録用データを、第１の領域および第２の領域のエリアに、それぞれのトラック内におけるエリアの数が、長時間モードで記録する場合、標準モードで記録する場合より多くなるように記録する記録手段とを含むことを特徴とする。
【００１４】
本発明の第２の磁気テープ記録方法は、ディジタル画像データを入力する入力ステップと、入力ステップの処理により入力されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域のエリアに、それぞれのトラック内におけるエリアの数が、長時間モードで記録する場合、標準モードで記録する場合より多くなるように記録する記録ステップとを含むことを特徴とする。
【００１５】
本発明の第２の記録媒体は、ディジタル画像データの入力を制御する入力制御ステップと、入力制御ステップの処理により入力が制御されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域のエリアに、それぞれのトラック内におけるエリアの数が、長時間モードで記録する場合、標準モードで記録する場合より多くなるように記録する記録ステップとを含むことを特徴とする。
【００１６】
本発明の第２のプログラムは、ディジタル画像データの入力を制御する入力制御ステップと、入力制御ステップの処理により入力が制御されたディジタル画像データから、変速再生用のディジタル画像データを抽出する抽出ステップと、抽出ステップの処理により抽出された変速再生用のディジタル画像データから、トラックの略中央に位置する第１の領域、または第１の領域と、トラックの近傍に位置するトラックであって、かつ、そのトラック内で変速再生時にトレースされる位置に位置する第２の領域の両方の所定のエリアに記録する変速再生用のディジタル画像記録用データを生成する生成ステップと、生成ステップの処理により生成された変速再生用のディジタル画像記録用データを、第１の領域および第２の領域のエリアに、それぞれのトラック内におけるエリアの数が、長時間モードで記録する場合、標準モードで記録する場合より多くなるように記録する記録ステップとを含むことを特徴とする。
【００１７】
本発明の第２の磁気テープは、変速再生用のディジタル画像記録用データが、トラックの略中央に位置する第１の領域、または第１の領域と、トラックの近傍に位置するトラックであって、かつ、そのトラック内で変速再生時にトレースされる位置に位置する第２の領域の両方の所定のエリアに、それぞれのトラック内におけるエリアの数が、長時間モードで記録する場合、標準モードで記録する場合より多くなるように記録されている
ことを特徴とする。
【００１８】
第１の領域に記録されるディジタル画像データは、正方向の変速再生と逆方向の変速再生において共通に再生されるディジタル画像データであるようにすることができる。
【００１９】
前記記録手段は、所定数のトラックを１周期とし、その周期毎に、所定のパターンに従って、第１の領域と第２の領域に、それぞれ、ディジタル画像データを記録するようにすることができる。
【００２０】
前記記録手段は、磁気テープの磁性材料の配列方向に対して、記録磁化の方向が近いと判断されるアジマスを持つ回転ヘッドにより、ディジタル画像データを磁気テープに記録するようにすることができる。
【００２１】
前記記録手段は、前記ディジタル画像データを両方のアジマスのトラックに記録する場合、高倍速用のディジタル画像データを前記磁気テープの磁性材料の配列方向に対して、記録磁界の方向がより近い方のアジマスのトラックに記録し、低倍速用のディジタル画像データを他方のトラックに記録するようにすることができる。
【００２２】
前記記録手段は、ｎ倍速用のディジタル画像データを生成し、２のべき乗であるｎまたは２ｎトラック間隔で、かつ、各トラックの略中央に、前記ディジタル画像データを配置して記録し、その配置されたディジタル画像データは、２のべき乗であるｍ倍速の正方向および逆方向の変速再生、および逆方向の１倍速再生に用いられるようにすることができる。
【００２３】
前記ｎとｍは、ｍ＜ｎの関係を満たすようにすることができる。
【００２４】
前記記録手段は、第１の領域と第２の領域にそれぞれ記録されるディジタル画像データを、それぞれの領域で複数回記録するようにすることができる。
【００２５】
本発明の第１の磁気テープ記録装置、磁気テープ記録方法、記録媒体、プログラム、および磁気テープにおいては、ディジタル画像データが、トラックの略中央に位置する第１の領域、または第１の領域と、トラックの近傍に位置するトラックであって、かつ、そのトラック内で変速再生時にトレースされる位置に位置する第２の領域の両方の所定のエリアに、１エリア内の単位ブロックの数が、長時間モードで記録する場合、標準モードで記録する場合より少なくなるように記録される。
【００２６】
本発明の第２の磁気テープ記録装置、磁気テープ記録方法、記録媒体、プログラム、および磁気テープにおいては、ディジタル画像データが、トラックの略中央に位置する第１の領域、または第１の領域と、トラックの近傍に位置するトラックであって、かつ、そのトラック内で変速再生時にトレースされる位置に位置する第２の領域の両方の所定のエリアに、それぞれのトラック内におけるエリアの数が、標準モードで記録する場合より多くなるように記録される。
【００２７】
【発明の実施の形態】
以下に、本発明の実施の形態について図面を参照して説明する。図１は、本発明を適用した記録再生装置の一実施の形態の構成を示す図である。ビデオカメラ（不図示）などから出力された画像信号は、記録再生装置１のＡ／Ｄ（Ａｎａｌｏｇ／Ｄｉｇｉｔａｌ）変換部２に入力される。Ａ／Ｄ変換部２に入力されたアナログの画像信号は、ディジタルの画像データに変換され、圧縮処理部３に出力される。圧縮処理部３は、入力された画像データを所定の方式に従って圧縮処理を施し、データ多重化部４と変速再生用データ生成部５に出力する。
【００２８】
圧縮処理部３において行われる圧縮処理にＭＰＥＧ方式を用いた場合、圧縮処理部３は、入力された画像データをＤＣＴ（Ｄｉｓｃｒｅｔｅ  Ｃｏｓｉｎｅ  Ｔｒａｎｓｆｏｒｍ）変換し、ＭＰＥＧ２方式による符号化処理を施すことにより、圧縮された画像データをデータ多重化部４に対して出力する。ＭＰＥＧ２方式による符号化処理について、図２を参照してさらに説明するに、例えば、画像信号は、１５フレーム分が圧縮処理の単位としてのＧＯＰ（Ｇｒｏｕｐ  ｏｆ  Ｐｉｃｔｕｒｅ）とされ、Ｉピクチャ、Ｂピクチャ、またはＰピクチャと称される３つのピクチャのいずれかに変換される。
【００２９】
Ｉピクチャは、フレーム内の圧縮により作成された画像データであり、Ｐピクチャは、フレーム内の圧縮の他に、前のフレームの情報も用いられて圧縮されることにより作成された画像データであり、Ｂピクチャは、フレーム内の圧縮の他に、前後のフレームの情報も用いられて圧縮されることにより作成された画像データである。
【００３０】
作成されたＩピクチャ、Ｐピクチャ、およびＢピクチャから構成され、例えば、図２の下段に示されるような順序に配列されたデータストリームは、データ多重化部４に入力され、他のデータ（例えば、音声データ、サブコードなどのシステムデータなど）と多重化された後、誤り訂正符号付加部６に出力される。データ多重化部４により多重化されるデータの中には、変速再生用データ生成部５により生成された変速再生用の画像データも含まれる。
【００３１】
変速再生用データ生成部５は、圧縮処理部３から出力された画像データの内、Ｉピクチャのみを用いて変速再生専用の画像データを作成する。その詳細は図６のフローチャートを参照して後述する。Ｉピクチャは、上述したように、フレーム内のみのデータを用いて圧縮されるが、ＰピクチャやＢピクチャは、他のフレーム（ピクチャ）の情報も用いられて圧縮される。このことは、ＰピクチャやＢピクチャは、他のピクチャの情報が読み出されないと復号することができないことを意味している。Ｉピクチャなら、他のピクチャの読み出し状況には依存せずに復号できるので、変速再生時のように、一部分の画像データしか読み出すことができないような状況下で読み出すデータとして適している。
【００３２】
誤り訂正符号付加部６に入力された多重化されたデータは、さらに誤り訂正符号が付加され、増幅器７−１を介して回転ヘッド８に供給される。回転ヘッド８は、供給されたデータを図示していない記録媒体としての磁気テープ上に記録する。
【００３３】
一方、記録媒体に記録された画像データを含むデータは、回転ヘッド８により再生され、増幅器７−２を介して誤り訂正部９に供給される。誤り訂正部９は、供給されたデータに対して誤り訂正処理を施した後、データ分離処理部１０と変速再生用メモリ１１に対して出力する。データ分離処理部１０は、データ多重化部４と逆の処理を行う。すなわち、データ分離処理部１０は、入力された多重化されているデータを、画像データ、音声データ、システムデータなどのデータに分離する。
【００３４】
分離されたデータの内、画像データは、スイッチ１２を介して伸張処理部１３に出力される。伸張処理部１３に接続されているスイッチ１２は、通常再生（正方向１倍速再生）の時には、端子ａ側に接続され、データ分離処理部１０からの画像データが伸張処理部１３に供給されるようにし、その他の再生の時（変速再生時）には、端子ｂ側に接続され、変速再生用メモリ１１に記憶されているデータが伸張処理部１３に供給されるようにする。
【００３５】
変速再生用メモリ１１には、変速再生用データ生成部５により生成された変速再生用の画像データが記憶される。変速再生時には、誤り訂正部９に、データが間欠的に入力されるために、内符号についての誤り訂正のみが行われ、その内符号についてのみ誤り訂正された画像データが、変速再生用メモリ１１に一時的に記憶される。変速再生用メモリ１１からの画像データの読み出しは、再生画像のフレームに同期した一定周期で行う方法と、１フレーム分の画像データが記憶された時点で行う方法とがあり、どちらが用いられても良い。
【００３６】
伸張処理部１３は、スイッチ１２を介して入力された画像データに対して伸張処理（ＭＰＥＧ方式による復号、逆ＤＣＴ変換などの処理）を施し、Ｄ／Ａ変換部１４を介して、表示デバイスとしてのテレビジョン受像機（不図示）などに出力する。
【００３７】
ここで、図３に示すような構成をもつ回転ヘッド８を備える記録再生装置１について考える。図３に示した回転ヘッド８は、異なるアジマス角をもつ２つのヘッドを備えている。一方のヘッドを＋ヘッド、他方のヘッドを−ヘッドとして記述する。このような回転ヘッド８により記録される記録媒体としての磁気テープ上の記録パターンは、図４に示すようになる。すなわち、−ヘッドによりトラック０が形成され、＋ヘッドによりトラック１が形成され、−ヘッドによりトラック２が形成されというように、−ヘッドと＋ヘッドによるトラックが交互に形成される。
【００３８】
例えば９倍速再生が行われる場合、−ヘッドは、１回のトレースにより９本のトラック（図４の例の場合、トラック０乃至８）をトレースし、それらから、所定の一部分のデータが読み出される。図５Ａは、９倍速再生が行われたときのＲＦ信号のエンベロープを示し、図５Ｂは、例えば、出力レベルがピークレベルと、それから６ｄＢだけ下のレベルまでのデータが復調されるとしたときの、復調される再生データを示している。図５Ｂに示したように、変速再生したときの再生データは、間欠的なデータ列になることがわかる。
【００３９】
そこで、記録媒体のテープの走行速度とヘッドトレースのテープパターンに対する位相を一定に保つことにより、テープ上の中央の位置に配置されたデータを確実にトレースすることが可能となる。
【００４０】
しかしながら、倍速数が大きくなると、図５を参照して説明したＲＦ信号のエンベロープの１つの塊が、小さくなるため、その塊の中に含まれるデータ量は少なくなる。
【００４１】
従って、倍速数が大きくなると、中央に配置したデータだけでは、充分なデータ量を記録することができなくなる。そこで、本発明においては、倍速数が大きい場合には、１つのデータが複数の領域に分散して記録される。この場合の処理を、図６のフローチャートを参照して説明する。
【００４２】
図６のフローチャートの処理は、図１の記録再生装置１における変速再生用データ生成部５により実行される。まず、ステップＳ１において、変速再生用データ生成部５は、圧縮処理部３より供給される圧縮された画像データからＩピクチャのみを抽出する。次に、ステップＳ２において、変速再生用データ生成部５は、記録モードが標準モードであるのか否かを判定する。
【００４３】
記録モードが標準モードである場合は、変速再生用データ生成部５は、ステップＳ３において倍速数ｎを判定する。ｎ＞４の場合、すなわち、倍速数ｎが大きい場合には、変速再生用データ生成部５は、ステップＳ４において第１の領域記録用ディジタル画像データと第２の領域記録用ディジタル画像データ（図７を参照して後述する）を生成する。これに対して、ｎ＞４でない場合、たとえば４倍速再生用の場合、変速再生用データ生成部５は、ステップＳ５において第１の領域記録用ディジタル画像データのみを生成する。
【００４４】
また、ステップＳ２で記録モードが標準モードではない（長時間モードである）と判定された場合、変速再生用データ生成部５は、ステップＳ６において倍速数ｎを判定する。ｎ＞４の場合、すなわち、倍速数ｎが大きい場合には、変速再生用データ生成部５は、ステップＳ７において第１の領域記録用ディジタル画像データと第２の領域記録用ディジタル画像データを生成する。これに対して、ｎ＞４でない場合、たとえば４倍速再生用の場合、変速再生用データ生成部５は、ステップＳ８において第１の領域記録用ディジタル画像データのみを生成する。
【００４５】
図７は、標準モードである場合における倍速数ｎが１６であるときの、すなわち、ステップＳ４の処理で生成される１６倍速の変速再生用の画像データ（以下、単に、１６倍速再生用のデータとも称する）の配置を表している。この例では、ｎ＞４であるから、＋ヘッドが＋１６倍速または−１６倍速で磁気テープをトレースする場合において、＋ヘッドが磁気テープの幅方向の中央を通過するトラックＴ３には、第１の領域が形成され、そこに、第１の領域記録用ディジタル画像データＤ３が配置さる。
【００４６】
トラックＴ３の１トラック挟んだ両隣の同一アジマス（図７の例の場合、＋アジマス）のトラックＴ１（トラックＴ３にトラックＴ２を挟んで隣接するトラック）と、トラックＴ５（トラックＴ３にトラックＴ４を挟んで隣接するトラック）には、＋ヘッドが通過する位置に、第２の領域が形成され、そこに第２の領域記録用ディジタル画像データＤ１１，Ｄ１２，Ｄ５１，Ｄ５２が配置される。
【００４７】
なお、トラックＴ３の第１の領域に配置された第１の領域記録用ディジタル画像データＤ３は、＋１６倍速用と−１６倍速用で共用のデータである。これに対して、第２の領域記録用ディジタル画像データＤ１１，Ｄ５１は＋１６倍速用のデータであり、第２の領域記録用ディジタル画像データＤ１２，Ｄ５２は、−１６倍速用のデータである。
【００４８】
なお、４倍速以下の倍速再生時（例えば、図８に示される４倍速再生時）の変速再生用の画像データ（ステップＳ５の処理で生成される変速再生用の画像データ）としては、第１の領域記録用ディジタル画像データＤ３のみが記録され、第２の領域記録用ディジタル画像データＤ１１，Ｄ１２，Ｄ５１，Ｄ５２は記録されない。
【００４９】
しかしながら、記録再生装置１に起因する記録トラックの曲がり、再生時のトレースの歪み、記録時の速度サーボのジッタによる記録トラックの位置ずれ、再生時の位相ロックサーボのジッタによる走行速度の偏差などの要因により、目標トレースの位置に対してトレースの誤差が発生し、上述したようなデータ配置で設けられた変速再生用のデータを捕捉できない場合が考えられる。
【００５０】
本発明では、そのようなことを防ぐために、１回のトレースでトレースされる各トラックの変速再生用のデータを基準位置（上述したような要因でトレースの誤差が発生しないときにトレースされる位置）の近傍に、複数回繰り返して、同一データが記録される。
【００５１】
図８に示されるように、４倍速再生用のデータとしては、データＤ１０１，Ｄ１０２として、同一のデータが２回繰り返して記録されている。
【００５２】
一般的に、磁気テープなどの記録媒体に、回転ヘッドのトレースによりトラック上に記録を行う場合、データはシンクブロック単位で記録される。
【００５３】
図９は、４倍速再生用のデータを２回繰り返して記録した場合のデータ配置をより拡大して示す図である。図中、ＳＢは、シンクブロックを略記したものである。この例では、シンクブロックＳ０乃至Ｓ１５が、トラックのセンタを中心に長手方向に、データＤ１０１，Ｄ１０２として、２回繰り返し記録されている。２回繰り返して記録しない場合、換言すれば、トラックの中央の領域に１回だけ記録した場合、トレースするときの誤差として許容される範囲は、±７ＳＢ（シンクブロック）である。
【００５４】
４倍速再生時においては、１トラックから３０ＳＢのデータが捕捉可能であるが、図９の例の場合、１回のトレースで捕捉しなくてはならないデータは、Ｓ０乃至Ｓ１５の１６個のシンクブロックのデータである。したがって、図９に示されるように、２回繰り返してデータを記録させた場合、トレースの誤差として許容される範囲は、±１５ＳＢに向上する。
【００５５】
同一データを繰り返し記録させる回数としては、上述した２回に限らず、何回でも良い。また、その回数は整数倍である必要もない。例えば、繰り返し回数を１．５回にした場合のデータ配置の例を、図１０に示す。１．５回繰り返し同一データを記録するということは、半分のデータを１回記録し、残りの半分のデータを２回繰り返して記録することになる。すなわち、図１０に示した例では、シンクブロックＳ０乃至Ｓ７が２回繰り返し記録され、シンクブロックＳ８乃至Ｓ１５が１回だけ記録されている。
【００５６】
１．５回繰り返し同一データを記録した場合、トレースの誤差許容範囲は±１１ＳＢになる。この場合も１回しかデータを記録しない場合に比べて、トレースの誤差の許容範囲が広がる。
【００５７】
図１１は、図７に示される画像データＤ１１，Ｄ１２，Ｄ３，Ｄ５１，Ｄ５２を、それぞれのトラック内で複数回繰り返して記録したときのデータ配置を表している。図１１に示した１６倍速再生用のデータ配置について、図１２乃至図１４を参照してさらに説明する。図１２は、図１１に示したデータ配置のうち、トラックＴ３に位置し、同一データ（シンクブロックＳ０乃至Ｓ５）が２回繰り返して記録される領域（共用データが記録されている領域）のデータＤ３の詳細について示した図である。共用データは、２回繰り返して記録されているが、そのデータの間は２ＳＢ分だけ開けられている。また、１回のトレースで必要なデータ量を確保しつつ、繰り返し回数を２回に抑えることにより、変速再生用のデータ量を減らし、その分、メイン（通常１倍速再生用）のデータの記録容量の増加に貢献している。これは、中央の領域が位相ロックサーボの目標位置であるためにサーボジッタなどの最小限の誤差を考慮すればよいことに起因している。
【００５８】
図１３は、＋１６倍速再生用のデータのうち、図１１において、トラックＴ１に位置するデータＤ１１（または、トラックＴ５に位置するデータＤ５１）を示している。＋１６倍速再生用のデータは、３回繰り返し記録される。各データは、シンクブロックＳ０乃至Ｓ２の３ＳＢから構成され、各データ間は、７ＳＢ分だけ間隔が開けられている。１回のトレースにより捕捉可能なシンクブロック数は、１０個であるが、このように配置することにより、トレースの誤差の許容範囲が±１３．５ＳＢになる。
【００５９】
同様に、図１４は、−１６倍速再生用のデータのうち、図１１において、トラックＴ１に位置するデータＤ１２（または、トラックＴ５に位置するデータＤ５２）を示している。−１６倍速再生用のデータは、３回繰り返し記録される。各データは、シンクブロックＳ０乃至Ｓ２の３ＳＢから構成され、各データ間は、５ＳＢ分だけ間隔が開けられている。１回のトレースで捕捉可能なシンクブロック数は、８個であるが、このように配置することにより、トレースの誤差の許容範囲が±１０．５ＳＢになる。
【００６０】
図１３または図１４に示したデータ配置では、繰り返し回数を３回にし、各データ間を７ＳＢまたは５ＳＢと広めにとることにより、トレースの誤差による許容範囲が大きくとれるようにしている。
【００６１】
次に、誤り訂正について説明する。図１の記録再生装置１の構成からもわかるように、データ多重化部４において画像データ、音声データなどのデータが多重化された後、誤り訂正符号付加部６にて、誤り訂正符号が付加される。この付加される誤り訂正符号の構成を、図１５に示す。図１５に示されるように、１つのシンクブロックは、データ部と内符号部（Ｉｎｎｅｒ  Ｐａｒｉｔｙ）で構成され、複数のシンクブロックから構成される１つのデータ部に対して、外符号部（Ｏｕｔｅｒ  Ｐａｒｉｔｙ）が付加された構成となっている。このような構成をとることにより、シンクブロック単位の誤りに対して大きな耐性を持たせることができる。
【００６２】
一般的に、記録媒体としてテープ状のものを用いた場合、ランダムエラー（不定期で単発的に発生する誤り）の他に、テープに塗布された磁性体の欠陥や傷などによるバーストエラー（連続的に発生する誤り）が発生することが知られている。この対策として、複数のトラックに記録するシンクブロックに対して、１つの誤り訂正外符号を構成し、これらのシンクブロックを所定の規則に従って、符号を構成するシンクブロックが存在するトラック全てにわたって再配置（インターリーブ）することが行われている。
【００６３】
高能率圧縮記録を行う場合、インターリーブの単位で記録信号処理を行うことにより、編集などの処理が容易になり、記録再生装置１の規模を小さくできるため、変速再生用のデータの記録パターンも、インターリーブに対応している方が好ましい。
【００６４】
次に、標準モード時における変速再生用の画像データ生成処理（図６のステップＳ４，Ｓ５の処理）について説明する。
【００６５】
図１６乃至図１９は、いずれも、標準モード時における変速再生のデータ配置を表しており、図１６は４倍速及び８倍速再生用のデータ配置、図１７は１６倍速再生用のデータ配置、図１８は２４倍速再生用のデータ配置、図１９は３２倍速再生用のデータ配置を表している。
【００６６】
図１６のトラックＴ１，Ｔ１７，およびＴ３３上にあるそれぞれ２つのデータは、±４倍速用のデータのうち、第１の領域記録用ディジタル画像データである。これらのそれぞれのデータは、再生用磁気ヘッドが捕捉可能な領域に対するトレース誤差許容範囲を広くするため、１７ＳＢからなる同一データが、１０ＳＢ分の隙間を開けて２回繰り返して記録されている。
【００６７】
また、図１６のトラックＴ９，Ｔ２５上にあるそれぞれ３つのデータは、±８倍速用（±４倍速用のデータと兼用）のデータのうち、第１の領域記録用ディジタル画像データである。これらのそれぞれのデータは、１７ＳＢからなる同一データが、間隔を開けずに、３回繰り返して記録されている。
【００６８】
また、図１６のトラックＴ１１，Ｔ２７上にあるそれぞれ２つのデータは、＋８倍速専用のデータのうちの、第２の領域記録用ディジタル画像データである。これらのそれぞれのデータは、１７ＳＢからなる同一データが、間隔を開けずに、２回繰り返して記録されている。
【００６９】
さらに、図１６のトラックＴ７，Ｔ２３上にあるそれぞれ２つのデータは、−８倍速専用のデータのうちの、第２の領域記録用ディジタル画像データである。これらのそれぞれのデータは、１７ＳＢからなる同一データが、間隔を開けずに、２回繰り返して記録されている。
【００７０】
図１７のトラックＴ３上にある３つのデータは、±１６倍速用のデータのうち、第１の領域記録用ディジタル画像データである。これらのそれぞれのデータは、再生用磁気ヘッドが捕捉可能な領域に対するトレース誤差許容範囲を広くするため、６ＳＢからなる同一データが、２ＳＢ分の隙間を開けて、３回繰り返して記録されている。
【００７１】
また、図１７のトラックＴ１，Ｔ５上にあるそれぞれ３つの＋１６倍速専用のデータは、第２の領域記録用ディジタル画像データである。これらのそれぞれのデータは、再生用磁気ヘッドが捕捉可能な領域に対するトレース誤差許容範囲を広くするため、３ＳＢからなる同一データが、６ＳＢ分の隙間を開けて、３回繰り返して記録されている。
【００７２】
図１７のトラックＴ１，Ｔ５上にあるそれぞれ３つの−１６倍速専用のデータは、第２の領域記録用ディジタル画像データである。これらのそれぞれのデータは、再生用磁気ヘッドが捕捉可能な領域に対するトレース誤差許容範囲を広くするため、３ＳＢからなる同一データが、５ＳＢ分の隙間を開けて、３回繰り返して記録されている。
【００７３】
図１８のトラックＴ３上にある３つのデータは、±２４倍速用のデータのうち、第１の領域記録用ディジタル画像データである。これらのそれぞれのデータは、再生用磁気ヘッドが捕捉可能な領域に対するトレース誤差許容範囲を広くするため、４ＳＢからなる同一データが、１ＳＢ分の隙間を開けて、３回繰り返して記録されている。
【００７４】
また、図１８のトラックＴ１，Ｔ５上にあるそれぞれ４つの＋２４倍速専用のデータは、第２の領域記録用ディジタル画像データである。これらのそれぞれのデータは、再生用磁気ヘッドが捕捉可能な領域に対するトレース誤差許容範囲を広くするため、４ＳＢからなる同一データが、２ＳＢ分の隙間を開けて、４回繰り返して記録されている。
【００７５】
図１８のトラックＴ１，Ｔ５上にあるそれぞれ４つの−２４倍速専用のデータは、第２の領域記録用ディジタル画像データである。これらのそれぞれのデータは、再生用磁気ヘッドが捕捉可能な領域に対するトレース誤差許容範囲を広くするため、４ＳＢからなる同一データが、１ＳＢ分の隙間を開けて、４回繰り返して記録されている。
【００７６】
図１９のトラックＴ５上にある４つのデータは、±３２倍速用のデータのうち、第１の領域記録用ディジタル画像データである。これらのそれぞれのデータは、再生用磁気ヘッドが捕捉可能な領域に対するトレース誤差許容範囲を広くするため、３ＳＢからなる同一データが、１ＳＢ分の隙間を開けて、４回繰り返して記録されている。
【００７７】
また、図１９のトラックＴ１，Ｔ９上にあるそれぞれ４つの＋３２倍速専用のデータは、第２の領域記録用ディジタル画像データである。これらのそれぞれのデータは、再生用磁気ヘッドが捕捉可能な領域に対するトレース誤差許容範囲を広くするため、２ＳＢからなる同一データが、２ＳＢ分の隙間を開けて、４回繰り返して記録されている。
【００７８】
図１９のトラックＴ１，Ｔ９上にあるそれぞれ４つの−３２倍速専用のデータは、第２の領域記録用ディジタル画像データである。これらのそれぞれのデータは、再生用磁気ヘッドが捕捉可能な領域に対するトレース誤差許容範囲を広くするため、２ＳＢからなる同一データが、２ＳＢ分の隙間を開けて、４回繰り返して記録されている。
【００７９】
また、図１９のトラックＴ３，Ｔ７上にあるそれぞれ４つの＋３２倍速専用のデータは、第２の領域記録用ディジタル画像データである。これらのそれぞれのデータは、再生用磁気ヘッドが捕捉可能な領域に対するトレース誤差許容範囲を広くするため、３ＳＢからなる同一データが、１ＳＢ分の隙間を開けて、４回繰り返して記録されている。
【００８０】
図１９のトラックＴ３，Ｔ７上にあるそれぞれ４つの−３２倍速専用のデータは、第２の領域記録用ディジタル画像データである。これらのそれぞれのデータは、再生用磁気ヘッドが捕捉可能な領域に対するトレース誤差許容範囲を広くするため、３ＳＢからなる同一データが、１ＳＢ分の隙間を開けて、４回繰り返して記録されている。
【００８１】
図２０は図１６乃至図１９のデータ配置を１枚の図面にまとめ、さらにインターリーブを考慮した場合の、標準モード時における変速再生のデータ配置を示している。
【００８２】
以上の図１６乃至図２０のデータ配置パターンは、標準モード（再生用磁気ヘッドの幅と記録トラックの幅がほぼ同じ場合）を想定したパターンであるが、例えば長時間モードなど、テープ走行速度を標準モードに比べて遅くした場合、一旦記録したトラックに対して次のトレースで上書きされる範囲が広くなる。その結果、記録トラック幅は記録用磁気ヘッドの幅（従って、それに対応する再生用磁気ヘッドの幅）に比べて狭くなる。再生用磁気ヘッドの幅に比べて記録トラックの幅が狭くなると、図２１Ａに示されるように、再生時における同一アジマスの隣接トラックからのクロストーク量が増加するので、ＲＦエンベロープの重なりが広くなる。このクロストークは同一アジマスを持つトラックからのものであるため、図２１Ｂに示されるように、本来のトラックのデータの範囲が狭くなり、その検出に支障をきたす。
【００８３】
このような場合、１トレースで１トラック当たりに捕捉可能なデータ量、すなわち捕捉可能なシンクブロックの数は、本信号（本来のトラックからの再生信号）のレベルよりもクロストーク量に左右される。
【００８４】
このように、再生用磁気ヘッドの幅に比べてトラックの幅が狭くなると（再生用磁気ヘッドの幅がトラックの幅より相対的に広くなると）、１回のトレースで捕捉可能なシンクブロックの数は、標準モード時（再生用磁気ヘッドの幅とトラック幅が略等しいとき）に比べて減少するため、図１６乃至図２０のような標準モード用のデータ配置パターンではデータの取り損ないが生じるおそれがある。
【００８５】
図２２はトラックピッチとトラック位置ずれの関係を表している。ここでφを磁気テープの長手方向と回転ヘッド８のスキャン方向が成す角度、Ｌｓをトラック位置ずれ量とすると、トラック方向に換算した位置ずれ量ΔＬは、
ΔＬ＝Ｌｓ  ｔａｎφ  ・・・（１）
の式で表される。また、Ｔｗをトラック幅、Ｌｒを１８０度換算のトラック長、ｎを倍速数とすると、
ｔａｎφ＝Ｌｒ／｛Ｔｗ（ｎ±１）｝  ・・・（２）
の関係式が成立する。式（１）及び式（２）から明らかなように、トラック方向に換算した位置ずれ量ΔＬはトラック幅Ｔｗが小さいほど大きくなる。
【００８６】
したがって、記録時のジッターなどの要因により、トラックの記録位置がずれた場合のトレースエラー量は、記録用磁気ヘッドの幅が一定ならば、記録トラック幅が狭くなるほど大きくなるため、図１６乃至図２０のような標準モード用のデータ配置パターンではデータの取り損ないが生じる場合がある。
【００８７】
図２３は磁気ヘッド（回転ヘッド８）の幅及び記録トラックの幅と、ＲＦエンベロープとの関係を表している。φを磁気テープの長手方向と磁気ヘッドのスキャン方向が成す角度、Ｌｔｒをトラック長、記録トラック幅をＴｗｔ、ｎを倍速数、ＲＦエンベロープ間隔をＬｐとすると、次式が成立する。
ｔａｎφ＝Ｌｔｒ／｛Ｔｗｔ（ｎ±１）｝  ・・・（３）
Ｌｐ＝２Ｔｗｔ  ｔａｎφ  ・・・（４）
【００８８】
また、ＲＦエンベロープのトップの幅をＬｔ、ヘッド幅をＴｗｈ、ＲＦエンベロープのボトムの幅をＬｂ、ピークレベルから６ｄＢだけ下のレベルのＲＦエンベロープ幅をＬｈ、クロストークがある場合のデータ捕捉可能領域幅をＬｍとすると、次式が成立する。
Ｌｔ＝（Ｔｗｈ−Ｔｗｔ）ｔａｎφ  ・・・（５）
Ｌｂ＝（Ｔｗｈ＋Ｔｗｔ）ｔａｎφ  ・・・（６）
Ｌｈ＝Ｔｗｈ  ｔａｎφ  ・・・（７）
Ｌｍ＝２Ｌｐ−Ｌｂ  ・・・（８）
【００８９】
１トラック中の１エリア（ｎ回多重書きされる場合において、ｎ個形成されるエリアのうちの１個のエリア）内に記録するシンクブロック数は、１トレースで１トラック当たりに捕捉可能なシンクブロック数により決められるが、図２１に示されるように、１トラック挟んで隣接する同一アジマスを持つトラックからのクロストーク量が無視できない場合には、例えば図２３に拡大して示されるように、クロストークが拾われ始めるレベルを境界として、その内側がデータ捕捉可能領域の幅Ｌｍとなる。
【００９０】
ただし、実際にはある一定以上のレベルの範囲（図２３におけるピークレベルから６ｄＢだけ下のレベルのＲＦエンベロープ幅Ｌｈ）と、クロストークの無い範囲（図２３におけるクロストークがある場合のデータ捕捉可能領域幅Ｌｍ）のどちらか狭い方をデータ捕捉可能領域とすれば、本信号の検出は可能である。
【００９１】
式（７）、式（８）に示される、ピークレベルから６ｄＢだけ下のレベルのＲＦエンベロープ幅Ｌｈと、クロストークがある場合のデータ捕捉可能領域幅Ｌｍを求める式から、記録トラック幅Ｔｗｔとヘッド幅Ｔｗｈの関係が、Ｔｗｔ＞（２／３）ＴｗｈのときにＬｈ＜Ｌｍとなることが判る。そこで、本発明では記録トラック幅が記録用磁気ヘッドのトラック幅の２／３倍以上のときは、Ｌｈの内側（ピークレベルから−６ｄＢ以上）の範囲が、また、それ以下のときは、Ｌｍの内側の範囲（クロストークが無い範囲）が、それぞれデータ捕捉可能領域とされる。
【００９２】
データ捕捉可能領域が決められることにより、１トレースで１トラック当たりに捕捉可能なシンクブロック数が決定され、これにより１トラック中の１エリア内に記録するシンクブロック数も決定される。つまり、クロストーク量が考慮されたことによりデータ捕捉可能領域が狭められたため、１トレースで１トラック当たり捕捉可能なシンクブロック数は減少する。よって、１トラック中の１エリア内に記録するシンクブロック数を少なくすることで、本信号の検出が可能となる。
【００９３】
また、式（１）と式（２）から、トラック幅Ｔｗに応じたトラック方向に換算した位置ずれ量ΔＬ、すなわちトレースエラー量（トレース目標からのずれ量）が求められる。ここでトラック内の１エリア内に記録される同一データの繰り返し回数については、１回のトレースにおけるトレースエラー量で決まるため、本信号の検出を可能とするには、トラック方向に換算した位置ずれ量ΔＬが大きくなるほど、繰り返し回数を多くすれば良い。
【００９４】
図２４乃至図２７のデータ配置は、図１６乃至図１９に示された標準モード対応のパターンに対して、以上のことを考慮した長時間モード対応のパターンを表している。また、図２８は図２４乃至図２７のデータ配置を１枚の図面にまとめ、さらにインターリーブを考慮した場合のデータ配置を示している。
【００９５】
図２４は±４倍速再生用と±８倍速再生用のデータの配置パターンを同一図面上に示した図である。±４倍速用のデータは、１１ＳＢのデータが隙間を１２ＳＢ分だけ開けられて、３回繰り返して第１の領域のみに記録される。また、±８倍速再生用のデータは、１２ＳＢのデータが第１の領域で５回、間隔を開けずに、また、第２の領域では１１ＳＢのデータが、隙間を１ＳＢ分だけ開けられて、３回繰り返して記録される。これは、図１６の標準モード対応のパターンに比べ、シンクブロックの数は少なく、繰り返し回数は多く配置されたパターンとなっている（このことは、図１７乃至図２０と比較して明らかなように、図２５乃至図２８においても同様である）。
【００９６】
図２５は、±１６倍速再生用のデータの配置パターンを示した図である。±１６倍速再生用のデータは、４ＳＢのデータが隙間を２ＳＢ分だけ開けられて、第１の領域で４回記録され、第２の領域では、２ＳＢのデータが、隙間を＋１６倍速で５ＳＢ分、−１６倍速で４ＳＢ分だけ、それぞれ開けられて、４回繰り返して記録される。
【００９７】
図２６は、±２４倍速再生用のデータの配置パターンを示した図である。±２４倍速再生用のデータは、４ＳＢのデータが第１の領域で５回、第２の領域では４ＳＢのデータが５回、それぞれ間隔を開けずに繰り返して記録される。
【００９８】
図２７は、±３２倍速再生用のデータの配置パターンを示した図である。±３２倍速再生用のデータは、２ＳＢのデータが第１の領域で７回、間隔を開けずに記録され、第２の領域では、２ＳＢのデータが８回間隔を開けずに、もしくは１ＳＢのデータが隙間を１ＳＢ分だけ開けられて８回繰り返して記録される。
【００９９】
図２８は、図２４乃至図２７に示した±４倍速再生、±８倍速再生、±１６倍再生、±２４倍速再生、および±３２倍速再生用のデータの配置パターンを、１枚の図面上に示した図である。さらに、図２８に示した配置パターンにおいては、ＥＣＣインターリーブ単位を考慮した配置パターンとなっている。４倍速再生用の領域と８倍速再生用の領域は、それぞれ、１つＥＣＣインターリーブ単位に１箇所という間隔をもって、図示した位置に配置される。８倍速再生用の領域には、４倍速再生用と共用のエリアも含まれている。
【０１００】
１６倍速再生用の領域は、２つＥＣＣインターリーブ単位に１箇所、２４倍速再生用の領域は、３つＥＣＣインターリーブ単位に１箇所、３２倍速再生用の領域は、４つＥＣＣインターリーブ単位に１箇所、という間隔をもって、それぞれ図示した位置に配置される。
【０１０１】
上述したように１トラック中の１エリア内に記録するシンクブロックの数を少なくし、同一データの繰り返し回数を多くして記録することにより、標準モードなどの、記録トラック幅が磁気ヘッドのトラック幅と同等な場合に記録されたテープの変速再生時だけでなく、長時間モードなどの、磁気ヘッドのトラック幅に比べて記録トラック幅が狭い場合に記録されたテープの変速再生時においても、画像データに欠落のない良好な変速再生出力を得ることができる。また、機器個別のばらつきや、環境の変化に対しても標準モードと同様な品質悪化に対する耐性を有することが可能になる。
【０１０２】
上述した一連の処理は、ハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０３】
図２９は、汎用のパーソナルコンピュータの内部構成例を示す図である。パーソナルコンピュータのＣＰＵ（Ｃｅｎｔｒａｌ  Ｐｒｏｃｅｓｓｉｎｇ  Ｕｎｉｔ）１０１は、ＲＯＭ（Ｒｅａｄ  Ｏｎｌｙ  Ｍｅｍｏｒｙ）１０２に記憶されているプログラムに従って各種の処理を実行する。ＲＡＭ（Ｒａｎｄｏｍ  Ａｃｃｅｓｓ  Ｍｅｍｏｒｙ）１０３には、ＣＰＵ１０１が各種の処理を実行する上において必要なデータやプログラムなどが適宜記憶される。入出力インタフェース１０５は、キーボードやマウスから構成される入力部１０６が接続され、入力部１０６に入力された信号をＣＰＵ１０１に出力する。また、入出力インタフェース１０５には、ディスプレイやスピーカなどから構成される出力部１０７も接続されている。
【０１０４】
さらに、入出力インタフェース１０５には、ハードディスクなどから構成される記憶部１０８、および、インターネットなどのネットワークを介して他の装置とデータの授受を行う通信部１０９も接続されている。ドライブ１１０は、磁気ディスク１２１、光ディスク１２１、光磁気ディスク１２３、半導体メモリ１２４などの記録媒体からデータを読み出したり、データを書き込んだりするときに用いられる。
【０１０５】
記録媒体は、図２９に示すように、コンピュータとは別に、ユーザにプログラムを提供するために配布される、プログラムが記録されている磁気ディスク１２１（フロッピディスクを含む）、光ディスク１２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１２３（ＭＤ（Ｍｉｎｉ−Ｄｉｓｋ）を含む）、若しくは半導体メモリ１２４などよりなるパッケージメディアにより構成されるだけでなく、コンピュータに予め組み込まれた状態でユーザに提供される、プログラムが記憶されているＲＯＭ１０２や記憶部１０８が含まれるハードディスクなどで構成される。
【０１０６】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１０７】
【発明の効果】
以上の如く、本発明の第１の磁気テープ記録装置および方法、記録媒体、およびプログラム、並びに磁気テープによれば、長時間モードで記録する場合、１エリア内に記録するシンクブロック数を減らすようにした。
【０１０８】
また、本発明の第２の磁気テープ記録装置および方法、記録媒体、およびプログラム、並びに磁気テープによれば、長時間モードで記録する場合、トラック内のエリアの数が多くなるようにした。
【０１０９】
従って、いずれの場合においても、長時間モードにおける変速再生時において良好な画像を表示させるのに充分なディジタル画像データの記録が可能となる。
【０１１０】
【図面の簡単な説明】
【図１】本発明を適用した記録再生装置の一実施の形態の構成を示すブロック図である。
【図２】圧縮について説明する図である。
【図３】回転ヘッドを示す図である。
【図４】記録パターンを説明する図である。
【図５】ＲＦ信号のエンベロープと再生データの関係を説明する図である。
【図６】変速再生用画像データ生成処理を説明するフローチャートである。
【図７】１６倍速再生用のデータのデータ配置パターンの例を示す図である。
【図８】４倍速再生用のデータの他のデータ配置パターンの例を示す図である。
【図９】図８に示したデータ配置パターンの詳細について説明する図である。
【図１０】図８に示したデータ配置パターンの詳細について説明する図である。
【図１１】１６倍速再生用のデータのさらに他のデータ配置パターンの例を示す図である。
【図１２】図１１に示したデータ配置パターンの詳細について説明する図である。
【図１３】図１１に示したデータ配置パターンの詳細について説明する図である。
【図１４】図１１に示したデータ配置パターンの詳細について説明する図である。
【図１５】誤り訂正符号について説明する図である。
【図１６】標準モードにおける４倍速および８倍速再生用のデータのデータ配置パターンの例を示す図である。
【図１７】標準モードにおける１６倍速再生用のデータのさらに他のデータ配置パターンの例を示す図である。
【図１８】標準モードにおける２４倍速再生用のデータのデータ配置パターンの例を示す図である。
【図１９】標準モードにおける３２倍速再生用のデータのデータ配置パターンの例を示す図である。
【図２０】標準モードにおけるインターリーブを考慮したデータ配置パターンの例を示す図である。
【図２１】狭トラック時のＲＦ信号のエンベロープと再生データの関係を説明する図である。
【図２２】トラックピッチとトラック位置ずれの関係を説明する図である。
【図２３】記録用磁気ヘッドおよび磁気テープのトラック幅とＲＦ信号のエンベロープとの関係を説明する図である。
【図２４】長時間モードにおける４倍速および８倍速再生用のデータのデータ配置パターンの例を示す図である。
【図２５】長時間モードにおける１６倍速再生用のデータのデータ配置パターンの例を示す図である。
【図２６】長時間モードにおける２４倍速再生用のデータのデータ配置パターンの例を示す図である。
【図２７】長時間モードにおける３２倍速再生用のデータのデータ配置パターンの例を示す図である。
【図２８】長時間モードにおけるインターリーブを考慮したデータ配置パターンの例を示す図である。
【図２９】媒体を説明する図である。
【符号の説明】
１  記録再生装置，  ２  Ａ／Ｄ変換部，  ３  圧縮処理部，  ４  データ多重化部，  ５  変速再生用データ生成部，  ６  誤り訂正符号付加部，  ７  増幅器，  ８  回転ヘッド，  ９  誤り訂正部，  １０  データ分離部，  １１  変速再生用メモリ，  １２  スイッチ，  １３  伸張処理部，  １４  Ｄ／Ａ変換部
【図１】
0003552677.tif 000002
【図２】
0003552677.tif 000003
【図３】
0003552677.tif 000004
【図４】
0003552677.tif 000005
【図５】
0003552677.tif 000006
【図６】
0003552677.tif 000007
【図７】
0003552677.tif 000008
【図８】
0003552677.tif 000009
【図９】
0003552677.tif 000010
【図１０】
0003552677.tif 000011
【図１１】
0003552677.tif 000012
【図１２】
0003552677.tif 000013
【図１３】
0003552677.tif 000014
【図１４】
0003552677.tif 000015
【図１５】
0003552677.tif 000016
【図１６】
0003552677.tif 000017
【図１７】
0003552677.tif 000018
【図１８】
0003552677.tif 000019
【図１９】
0003552677.tif 000020
【図２０】
0003552677.tif 000021
【図２１】
0003552677.tif 000022
【図２２】
0003552677.tif 000023
【図２３】
0003552677.tif 000024
【図２４】
0003552677.tif 000025
【図２５】
0003552677.tif 000026
【図２６】
0003552677.tif 000027
【図２７】
0003552677.tif 000028
【図２８】
0003552677.tif 000029
【図２９】
0003552677.tif 000030